(57)【要約】【課題】使用に手数がかからず、面倒でない鼻腔用噴射器を提供する。【解決手段】鼻腔内にボタン２０のノズル筒２０ｃを入れ、ボタンを介して噴射装置Ｐのステム１７を押し込むことにより、噴射装置を取り付ける容器の液体をノズル筒の先端から鼻腔内に向けて吐出する鼻腔用噴射器において、ボタンに、２つの鼻腔内に各々挿入して容器の液体を同時に吐出する２つのノズル筒を並べて設ける。そして、使用時は、ボタンの２つのノズル筒を２つの鼻腔内に各々挿入し、ボタンを介して噴射装置のステムを押し込むことにより、噴射装置を取り付ける容器の液体をノズル筒の先端から鼻腔内に向けて同時に吐出する。【選択図】図３
2007105365.tif 000002
【特許請求の範囲】
【請求項１】
鼻腔内にボタンのノズル筒を入れ、前記ボタンを介してステムを押し込むことにより容器の液体を前記ノズル筒の先端から鼻腔内に向けて吐出する鼻腔用噴射器において、
前記ボタンに、２つの鼻腔内に各々挿入して容器の液体を同時に吐出する２つの前記ノズル筒を並べて設けることを特徴とする、鼻腔用噴射器。
【請求項２】
前記容器の液体が点鼻用の薬用液であることを特徴とする、請求項１に記載の鼻腔用噴射器。
【請求項３】
前記容器の液体が洗鼻用の洗浄液であることを特徴とする、請求項１に記載の鼻腔用噴射器。
【請求項４】
前記容器の口部にポンプ式噴射装置を取り付け、前記ステムを押し込むことにより前記ポンプ式噴射装置で前記容器の液体を吸い上げて前記ノズル筒の先端から吐出することを特徴とする、請求項１ないし３に記載の鼻腔用噴射器。
【請求項５】
前記容器の口部にエアゾール式噴射装置を取り付け、前記ステムを押し込むことにより、前記エアゾール式噴射装置の出口弁を開いて前記容器に液体とともに収納する噴射剤の圧力で、前記容器の液体を前記ノズル筒の先端から吐出することを特徴とする、請求項１ないし３に記載の鼻腔用噴射器。
【発明の詳細な説明】
【技術分野】
【０００１】
この発明は、容器の口部に噴射装置を取り付け、その噴射装置のステムにボタンを取り付けてなり、使用時にそのボタンのノズル筒を鼻腔内に入れ、ボタンを介してステムを押し込むことにより容器の液体をノズル筒の先端から鼻腔内に向けて吐出する鼻腔用噴射器に関する。
【背景技術】
【０００２】
従来、この種の鼻腔用噴射器は、容器の口部に、ポンプ式やエアゾール式などの噴射装置をねじ付け、その噴射装置のステムに、手掛け部を有するボタンを取り付け、ボタンには１つのノズル筒を突出して設け、そのノズル筒の先端に、噴口を有するノズルを圧入して形成していた。
【０００３】
そして、使用時には、ノズル筒をまず一方の鼻腔内に入れ、手掛け部に手を掛けてボタンを介してステムを押し込むことにより、容器の液体をノズル筒先端の噴口から一方の鼻腔内に向けて吐出し、続いてノズル筒を他方の鼻腔内に入れ換え、同様にして容器の液体を他方の鼻腔内に向けて吐出し、鼻腔内に薬用液を噴射して鼻腔内に塗布したり、洗浄液を噴射して鼻腔内を洗浄したりしていた。
【０００４】
【特許文献１】特開２０００−３３５６６５号公報
【特許文献２】特開２００４−４１８９９５号公報
【特許文献３】特開２００４−０００８４４号公報
【発明の開示】
【発明が解決しようとする課題】
【０００５】
ところが、このような鼻腔用噴射器では、ノズル筒を入れて鼻腔内に片方ずつ薬用液を塗布したり、鼻腔内を片方ずつ洗浄したりしなければならないから、使用に手数がかかる面倒があった。
【０００６】
そこで、この発明の目的は、使用に手数がかからず、面倒でない鼻腔用噴射器を提供することにある。
【課題を解決するための手段】
【０００７】
そのため、この発明は、鼻腔内にボタンのノズル筒を入れ、ボタンを介して噴射装置のステムを押し込むことにより、噴射装置を取り付ける容器の液体をノズル筒の先端の、例えばノズルの噴口から鼻腔内に向けて吐出する鼻腔用噴射器において、
ボタンに、２つの鼻腔内に各々挿入して容器の液体を同時に吐出する２つのノズル筒を並べて設ける、ことを特徴とする。
【０００８】
そして、使用時は、ボタンの２つのノズル筒を２つの鼻腔内に各々挿入し、ボタンを介して噴射装置のステムを押し込むことにより、噴射装置を取り付ける容器の液体をノズル筒の先端から鼻腔内に向けて同時に吐出する。
【０００９】
請求項２に記載の発明は、そのような鼻腔用噴射器において、容器の液体が点鼻用の薬用液である、ことを特徴とする。そして、使用時は、２つの鼻腔内に点鼻用の薬用液を一度に噴射し、鼻腔内に塗布する。
【００１０】
請求項３に記載の発明は、上述のような鼻腔用噴射器において、容器の液体が洗鼻用の洗浄液である、ことを特徴とする。そして、使用時は、２つの鼻腔内に洗鼻用の洗浄液を一度に噴射し、鼻腔内を洗浄する。
【００１１】
請求項４に記載の発明は、以上のような鼻腔用噴射器において、容器の口部にポンプ式噴射装置を取り付け、ステムを押し込むことによりポンプ式噴射装置を作動し、容器の液体を吸い上げてノズル筒の先端から吐出する、ことを特徴とする。
【００１２】
請求項５に記載の発明は、以上のような鼻腔用噴射器において、容器の口部にエアゾール式噴射装置を取り付け、ステムを押し込むことにより、エアゾール式噴射装置の出口弁を開いて容器に液体とともに収納する噴射剤の圧力で、容器の液体をノズル筒の先端から吐出する、ことを特徴とする。
【発明の効果】
【００１３】
したがって、この発明によれば、使用時は、ボタンの２つのノズル筒を１つずつ２つの鼻腔内に挿入し、ボタンを介して噴射装置のステムを押し込むことにより、容器の液体をノズル筒の先端から鼻腔内に向けて同時に吐出するので、２つの鼻腔に液体を一度に噴射し、片方ずつ液体を吐出する面倒をなくして、使用に手数がかからない鼻腔用噴射器を提供することができる。
【００１４】
請求項２に記載の発明によれば、容器の液体が点鼻用の薬用液であるので、使用時には、２つの鼻腔内に点鼻用の薬用液を一度に噴射し、鼻腔内に塗布することができる。
【００１５】
請求項３に記載の発明によれば、容器の液体が洗鼻用の洗浄液であるので、使用時には、２つの鼻腔内に洗鼻用の洗浄液を一度に噴射し、鼻腔内を洗浄することができる。
【００１６】
請求項４に記載の発明によれば、容器の口部にポンプ式噴射装置を取り付けるので、使用時には、ステムを押し込むことによりポンプ式噴射装置を作動し、容器の液体を吸い上げてノズル筒の先端から吐出し、２つの鼻腔に液体を一度に噴射することができる。
【００１７】
請求項５に記載の発明によれば、容器の口部にエアゾール式噴射装置を取り付けるので、ステムを押し込むことにより、エアゾール式噴射装置の出口弁を開いて容器に液体とともに収納するフロン等の噴射剤の圧力で、容器の液体をノズル筒の先端から吐出し、２つの鼻腔に液体を一度に噴射することができる。
【発明を実施するための最良の形態】
【００１８】
以下、図面を参照しつつ、この発明の実施の最良形態につき説明する。
図１には、この発明による鼻腔用噴射器の外観を側方から見て示す。
【００１９】
図示例の鼻腔用噴射器では、容器１０の口部にネジキャップ１１を用いてポンプ式噴射装置Ｐを取り付けてなる。容器１０は、プラスチック材料を用いてボトル形状につくってなり、その口部外周に雄ネジを設け、内部に点鼻用や洗鼻用の液体を収納する。
【００２０】
図２には、ポンプ式噴射装置Ｐの外観を斜め上から見て示す。また、図３には、ポンプ式噴射装置Ｐの縦断面を示す。
【００２１】
図中符号１２は、シリンダである。シリンダ１２は、途中に２つの段部を設けて下方に向けて順次小径につくり、上部の大径部の上縁周囲にフランジ１２ａを設けるとともに、そのフランジ１２ａのすぐ下に径方向に貫通して空気吸込み孔１２ｂをあけ、下部の小径部内に下方からパイプ１３の上端部を圧入してなる。
【００２２】
このようなシリンダ１２内には、上方からコイルスプリング１４を挿入して中径部内に入れ、小径部との間の段部１２ｃ上に乗せる。段部１２ｃには、中央に開口１２ｄをあけてある。そうして、シリンダ１２内には、さらに開閉弁１５を取り付けたピストン１６を入れ、コイルスプリング１４上に乗せて下部を中径部内に液密に挿入し、出し入れ自在に設ける。
【００２３】
ピストン１６には、下部中心に吸上げ通路１６ａを形成し、その吸上げ通路１６ａの奥で径方向に貫通して吸込み口１６ｂをあけてなる。そして、弾性によりたわんで、その吸込み口１６ｂを開閉するように、ピストン１６のまわりに上述の開閉弁１５を設ける。ピストン１６の上部は、管状のステム１７の噴出路１７ａ内に出し入れ自在に入れ、先端肩部１６ｃを噴出路１７ａ内の内径段部１７ｂに当てる。
【００２４】
ステム１７は、下部をシリンダ１２の大径部内に液密に挿入し、出し入れ自在に設ける。これにより、シリンダ１２内に、圧力室Ａを区画する。それから、ステム１７の上部を頂部１１ａの中心孔に挿入して上述したネジキャップ１１を取り付け、シール１８を挟んでフランジ１２ａ上に乗せてシリンダ１２に抱き付かせ、中心孔を通したステム１７の先端を上向きに突出する。このとき、シール１８を介してステム１７をピストン１６とともに押し下げてコイルスプリング１４を若干圧縮し、ピストン１６の先端肩部１６ｃをステム１７の内径段部１７ｂに確実に押し当てる。ネジキャップ１１は、頂部１１ａに中心孔を有するとともに、内周に雌ネジ１１ｂを有し、頂部１１ａからは上向きに円筒部１１ｃを立てる。
【００２５】
ステム１７の先端には、ボタン２０を固着したキャップ状のプッシュ２１を着脱可能にはめ付ける。プッシュ２１は、頂部の中心に中心孔２１ａを有し、その中心孔２１ａのまわりから下向きにステム１７への小筒部２１ｂを有し、また頂部外周から下向きに、ネジキャップ１１の円筒部１１ｃが入り込む大筒部２１ｃを有する。そして、その大筒部２１ｃまわりに、ボタン２０の下向き筒部２０ａをはめ付け、嵌合、溶着などにより固着する。これにより、プッシュ２１の頂部とボタン２０との間には、円板状の空間２２を形成する。
【００２６】
ボタン２０には、小判型の板部２０ｂから下向きに上述の下向き筒部２０ａを設け、上向きに２つのノズル筒２０ｃを並べて立てる。２つのノズル筒部２０ｃは、鼻腔に挿入しやすいようにやや先細とし、内部に柱状のセンターポストチップ２３を収納し、入口に小キャップ状のノズル２４をはめ付ける。ノズル２４には、頂部中心に噴口２４ａをあけ、頂部内面にスピン溝２４ｂを形成する。そして、板部２０ｂには、２つのノズル筒部２０ｃの内部と円板状の空間２２間をそれぞれ連通する連通孔２０ｄをあけてなる。
【００２７】
それから、ネジキャップ１１内にパッキン２５を挿入してシリンダ１２のフランジ１２ａにあてがい、容器１０の口部からパイプ１３を挿入してシリンダ１２も入れ、パイプ１３の先端を容器１０内の底部に向けてのばし、ネジキャップ１１を容器１０の口部に被せて内周の雌ネジ１１ｂを口部の雄ネジにネジ付け、パッキン２５を圧縮してポンプ式噴射装置Ｐを容器１０の口部に取り付けてなる。
【００２８】
いま、この鼻腔用噴射器を使用するときは、容器１０を持って板部２０ｂの両端に指を掛け、２つのノズル筒部２０ｃを各々鼻腔に挿入してボタン２０を押し下げる。すると、コイルスプリング１４の付勢力に抗してプッシュ２１を介してステム１７をピストン１６とともにシリンダ１２内に押し込み、圧力室Ａの圧力を上昇する。
【００２９】
そして、圧力室Ａの圧力が一定以上となったときには、その圧力でピストン１６を押し込み、先端肩部１６ｃをステム１７の内径段部１７ｂから離し、圧力室Ａの液体をステム１７とピストン１６との間を通過してステム１７の噴出路１７ａからプッシュ２１の中心孔２１ａを通して空間２２に入れ、振り分けて２つの連通孔２０ｄからそれぞれ２つのノズル筒２０ｃ内に導き、ノズル筒２０ｃとセンターポストチップ２３との間を通過してスピン溝２４ｂを通し、ノズル２４の噴口２４ａからミスト状として鼻腔内に向けて吐出し、鼻腔内に薬用液を噴射して鼻腔内に塗布したり、洗浄液を噴射して鼻腔内を洗浄したりする。
【００３０】
圧力室Ａの圧力が低下すると、コイルスプリング１４の付勢力でピストン１６を戻して再び先端肩部１６ｃをステム１７の内径段部１７ｂに押し当て、噴口２４ａからの吐出を停止する。そして、板部２０ｂに掛けていた指を外すと、コイルスプリング１４の付勢力でピストン１６とともにステム１７を押し戻し、プッシュ２１を介してボタン２０を押し上げる。
【００３１】
すると、圧力室Ａ内が負圧化して弾性に抗してたわんで開閉弁１５が開き、容器１０内の液体を、パイプ１３内を通してシリンダ１２の開口１２ｄからシリンダ１２の中径部内に入れ、吸上げ通路１６ａを通過して吸込み口１６ｂから圧力室Ａに吸い上げる。これにより、再度ボタン２０を押し下げると、圧力室Ａの液体を再び噴口２４ａから鼻腔内に向けて吐出することができる。
【００３２】
以上のとおり、図示鼻腔用噴射器によれば、鼻腔内にボタン２０のノズル筒２０ｃを入れ、ボタン２０を介して噴射装置Ｐのステム１７を押し込むことにより、噴射装置Ｐを取り付ける容器１０の液体をノズル筒２０ｃの先端から鼻腔内に向けて吐出する鼻腔用噴射器において、ボタン２０に、２つの鼻腔内に各々挿入して容器１０の液体を同時に吐出する２つのノズル筒２０ｃを並べて設ける。
【００３３】
そして、使用時は、ボタン２０の２つのノズル筒２０ｃを２つの鼻腔内に各々挿入し、ボタン２０を介して噴射装置Ｐのステム１７を押し込むことにより、噴射装置Ｐを取り付ける容器１０の液体をノズル筒２０ｃの先端から鼻腔内に向けて同時に吐出する。よって、２つの鼻腔に液体を一度に噴射し、片方ずつ液体を吐出する面倒をなくして、使用に手数がかからない鼻腔用噴射器を提供することができる。
【００３４】
容器１０の液体が点鼻用の薬用液であるときは、２つの鼻腔内に点鼻用の薬用液を一度に噴射し、鼻腔内に塗布することができる。また、容器１０の液体が洗鼻用の洗浄液であるときは、２つの鼻腔内に洗鼻用の洗浄液を一度に噴射し、鼻腔内を洗浄することができる。
【００３５】
さて、上述した例では、容器１０の口部にポンプ式噴射装置Ｐを取り付け、ステム１７を押し込むことによりポンプ式噴射装置Ｐを作動し、容器１０の液体を吸い上げてノズル筒２０ｃの先端から吐出する鼻腔用噴射器に適用した場合について説明した。しかし、この発明は、容器の口部に公知のエアゾール式噴射装置を取り付け、ステムを押し込むことにより、エアゾール式噴射装置の出口弁を開いて容器に液体とともに収納するフロン等の噴射剤の圧力で、容器の液体をノズル筒の先端から吐出する、ポンプ式ではない鼻腔用噴射器にも、同様に適用することができる。
【図面の簡単な説明】
【００３６】
【図１】この発明に係る鼻腔用噴射器を側方から見た外観図である。
【図２】その鼻腔用噴射器において、容器に取り付けるポンプ式噴射装置の斜視図である。
【図３】そのポンプ式噴射装置の縦断面図である。
【符号の説明】
【００３７】
１０    容器
１１    ネジキャップ
１２    シリンダ
１４    コイルスプリング
１５    開閉弁
１６    ピストン
１７    ステム
２０    ボタン
２０ｃ  ノズル筒
２１    プッシュ
２２    円板状の空間
２３    センターポストチップ
２４    ノズル
２４ａ  噴口
Ｐ      ポンプ式噴出装置
【図１】
2007105365.tif 000003
【図２】
2007105365.tif 000004
【図３】
2007105365.tif 000005